(57)【特許請求の範囲】
【請求項１】
包装シートに形成された袋部に薬剤を供給する薬剤分包機の薬剤供給シュートにおいて、上下端が開口し、下端の開口が排出口とされた案内筒内に、その内部に対する仕切板の取付けによって散薬の落下を案内する散薬供給路と、錠剤の落下を案内する錠剤供給路とを設け、前記仕切板を前記散薬供給路に供給される散薬の落下方向に対して斜交させて前記散薬を前記排出口に向けて誘導可能とし、その仕切板の前記散薬供給路の内面となる片面を緩衝面としたことを特徴とする薬剤分包機の薬剤供給シュート。
【請求項２】
包装シートに形成された袋部に薬剤を供給する薬剤分包機の薬剤供給シュートにおいて、内部が散薬供給路とされた案内筒と、内部が錠剤供給路とされた案内筒を、各案内筒の対向一対の側板の一方が互いに重なり合う組み合わせとし、その重なり合う側板を前記散薬供給路に供給される散薬の落下方向に対して斜交させて前記散薬を案内筒の下端の排出口に向けて誘導可能とし、その側板の前記散薬供給路の内面となる片面を緩衝面としたことを特徴とする薬剤分包機の薬剤供給シュート。
【請求項３】
包装シートに形成された袋部に薬剤を供給する薬剤分包機の薬剤供給シュートにおいて、大きさが異なる二つの案内筒を相互に嵌合し、内側案内筒の内部を散薬供給路とし、その内側案内筒と外側案内筒間を錠剤供給路とし、前記内側案内筒の対向一対の側板の一方を前記散薬供給路に供給される散薬の落下方向に対して斜交させて前記散薬を案内筒の下端の排出口に向けて誘導可能とし、その側板の前記散薬供給路の内面となる片面を緩衝面としたことを特徴とする薬剤分包機の薬剤供給シュート。
【請求項４】
前記散薬供給路と錠剤供給路の下端の排出口を共通とした請求項１乃至３のいずれかの項に記載の薬剤分包機の薬剤供給シュート。
【発明の詳細な説明】
【０００１】
【発明の属する技術分野】
この発明は、散薬や錠剤を１服用分ごとに包装する薬剤分包機の薬剤供給シュートに関するものである。
【０００２】
【従来の技術】
図６に示すように、ロールＲから引き出された熱融着性の包装シートＳの移送路に、その包装シートＳを幅中央から二つ折りする三角板から成るフォーマ２０と、そのフォーマ２０によって二つ折りされた包装シートＳを両側から挾持して、二つ折りされた包装シートＳに上部開放の袋部Ｐを形成する一対のヒートロール２１を設け、上記袋部Ｐ上に薬剤供給シュート２２を配置し、前記包装シートＳの移送時に、薬剤供給シュート２２から袋部Ｐ内に薬剤を間歇的に定量供給すると共に、一対のヒートロール２１の円筒形加熱面２１ａによって二つ折りされた包装シートＳの両側縁部を帯状に熱溶着すると共に、軸方向加熱面２１ｂによって幅方向にも帯状に熱溶着して薬剤が収納された分包袋ａの連続包装袋Ａを形成する薬剤分包機は従来から知られている。
【０００３】
上記薬剤分包機においては、薬剤供給シュート２２上に散薬供給装置３０および錠剤供給装置（図示省略）を設け、散薬供給装置３０から薬剤供給シュート２２に散薬を供給して、その散薬のみを包装する場合と、錠剤供給装置から錠剤を供給して錠剤のみを包装する場合と、散薬と錠剤とを交互に供給して交互包装する場合と、散薬と錠剤とを同時に供給して同時包装する場合がある。
【０００４】
錠剤のみの包装あるいは錠剤と散薬の交互包装又は同時包装において、錠剤の数が多い場合、その錠剤が薬剤供給シュート２２の下端の排出口２２ａにおいて詰まる場合がある。その詰まりを防止するため、薬剤供給シュート２２の下端の排出口２２ａの口径を比較的大きくしてある。
【０００５】
【発明が解決しようとする課題】
ところで、従来の薬剤供給機における薬剤供給シュート２２は、前記のように下端の排出口２２ａの口径が比較的大きいため、散薬供給装置３０から薬剤供給シュート２２に散薬を供給した場合、一部の散薬は薬剤供給シュート２２の内面で案内されることなく下端の排出口２２ａから包装シートＳの袋部Ｐ内に直接落下することがあった。
【０００６】
この場合、散薬の種類によっては袋部Ｐの底に衝突して舞い上がり、包装シートＳの両側縁部の内面に付着してヒートロール２１による熱溶着を阻害し、完全密封された分包袋ａを得ることができない場合があった。
【０００７】
また、薬剤供給シュートは、散薬と錠剤の供給に共通のものであるため、散薬の供給後に錠剤を供給した場合に、薬剤供給シュートの内面に付着する散薬が錠剤の表面に付着して、錠剤に汚れが生じるという不都合もあった。
【０００８】
この発明の課題は、袋部内に落下供給される散薬の舞い上がりを抑制し得るようにして、完全密封された分包袋を得ることができるようにすると共に、錠剤のみを供給する場合に、錠剤の汚れを抑制することができるようにした薬剤分包機の薬剤供給シュートを提供することである。
【０００９】
【課題を解決するための手段】
上記の課題を解決するために、第１の発明においては、包装シートに形成された袋部に薬剤を供給する薬剤分包機の薬剤供給シュートにおいて、上下端が開口し、下端の開口が排出口とされた案内筒内に、その内部に対する仕切板の取付けによって散薬の落下を案内する散薬供給路と、錠剤の落下を案内する錠剤供給路とを設け、前記仕切板を前記散薬供給路に供給される散薬の落下方向に対して斜交させて前記散薬を前記排出口に向けて誘導可能とし、その仕切板の前記散薬供給路の内面となる片面を緩衝面とした構成を採用している。
また、第２の発明においては、包装シートに形成された袋部に薬剤を供給する薬剤分包機の薬剤供給シュートにおいて、内部が散薬供給路とされた案内筒と、内部が錠剤供給路とされた案内筒を、各案内筒の対向一対の側板の一方が互いに重なり合う組み合わせとし、その重なり合う側板を前記散薬供給路に供給される散薬の落下方向に対して斜交させて前記散薬を案内筒の下端の排出口に向けて誘導可能とし、その側板の前記散薬供給路の内面となる片面を緩衝面とした構成を採用している。
さらに、第３の発明においては、包装シートに形成された袋部に薬剤を供給する薬剤分包機の薬剤供給シュートにおいて、大きさが異なる二つの案内筒を相互に嵌合し、内側案内筒の内部を散薬供給路とし、その内側案内筒と外側案内筒間を錠剤供給路とし、前記内側案内筒の対向一対の側板の一方を前記散薬供給路に供給される散薬の落下方向に対して斜交させて前記散薬を案内筒の下端の排出口に向けて誘導可能とし、その側板の前記散薬供給路の内面となる片面を緩衝面とした構成を採用している。
【００１０】
上記第１の発明乃至第３の発明のように、散薬供給路の内面に、その散薬供給路に供給される散薬の落下方向に対して斜交する緩衝面を設けたことにより、散薬供給路に供給される散薬は上記緩衝面に衝突し、勢いが弱められた状態で下端の排出口から袋部内に落下するため、袋部内での散薬の舞い上がりを抑制することができる。このため、散薬が包装シートの両側縁部の内面に付着することがなく、上記両側縁部をヒートロールによって確実に熱溶着することができ、完全密封された分包袋を得ることができる。
【００１１】
また、散薬供給路と錠剤供給路とは独立したものであるため、錠剤のみの供給時に、錠剤の表面が散薬の付着によって汚れるのを抑制することができる。
【００１３】
ここで、散薬供給路と錠剤供給路の下端の排出口を共通とすると、口径の大きな排出口を確保することができ、錠剤の詰まりを防止することができる。
【００１４】
【発明の実施の形態】
以下、この発明の実施の形態を図１乃至図５に基づいて説明する。図１乃至図３に示すように、案内筒１は対向する側板１ａ、１ｂが相対的に傾斜して下端が小径とされたテーパ状とされている。また、案内筒１は上下端が開口し、内部には仕切板３の取付けによって散薬供給路４と錠剤供給路５とが形成されている。仕切板３の下端は案内筒１の下端より上方に位置し、前記散薬供給路４と錠剤供給路５の下部に共通の排出口２が設けられている。
【００１５】
案内筒１は、図６に示す薬剤供給シュート２２と同様に、フォーマ２０によって二つ折りされた包装シートＳの袋部Ｐ内に下端に排出口２が位置する配置とされ、前記散薬供給路４の上方に散薬供給装置３０が設けられる。また、錠剤供給路５の上方に錠剤供給装置４０の錠剤供給シュート４０ａが設けられる。
【００１６】
ここで、散薬供給装置３０は、図２の状態において、紙面と直交する方向に移動されるスライド台３１に複数の散薬収納孔３２を前記スライド台３１の移動方向に等間隔に形成し、各散薬収納孔３２の下端開口に開閉自在の蓋体３３を設け、前記スライド台３１を散薬収納孔３２のピッチをストローク量として間歇的に移動し、散薬供給路４の上方で停止する散薬収納孔３２の蓋体３３を開放して内部に収納された散薬を散薬供給路４内に落下させるようにしている。
【００１７】
前記案内筒１内に設けられた仕切板３は、散薬供給路４内に供給される散薬の落下方向に対して斜交して、その片面が緩衝面６とされている。
【００１８】
上記のように、案内筒１の内部を散薬供給路４と錠剤供給路５とに仕切る仕切板３を散薬供給路４に供給される散薬の落下方向に対して斜交させることにより、散薬供給装置３０から散薬供給路４内に供給される散薬は図３の矢印で示すように、仕切板３の緩衝面６で一旦受けられて勢いが弱められ、その緩衝面６で案内されて、下端の排出口２から袋部Ｐ内に供給される。
【００１９】
このように、散薬供給装置３０から供給される散薬は、仕切板３の緩衝面６に対する衝突により緩衝され、勢いが弱められた状態で袋部Ｐ内に供給されるため、袋部Ｐの底に対する衝突力も弱く、その衝突による反動によって散薬が舞い上がることが少なく、上記散薬が袋部Ｐの開口部内面に付着するのを防止することができる。
【００２０】
したがって、図６に示すヒートロール２１によって包装シートＳの両側縁部の内面を確実に熱溶着することができ、完全密封された分包袋を得ることができる。
【００２１】
また、散薬供給路４と錠剤供給路５は仕切板３により仕切られて独立しているため、錠剤供給路５の内面に散薬が付着することがなく、錠剤の供給時に、錠剤の表面が散薬の付着によって汚れるのを防止することができる。
【００２２】
図４および図５は、この発明に係る薬剤供給シュートの他の例を示す。図４（Ｉ）、（II）に示す薬剤供給シュートは、内部が散薬供給路４とされた案内筒１０と、内部が錠剤供給路５とされた案内筒１１の組合わせから成る。各案内筒１０、１１は対向する一対の側板１２ａ、１２ｂを有し、一方の側板１２ａの下端部に切欠部１３を形成し、この切欠部１３が対向するようにして２本の案内筒１０、１１を組合せ、各案内筒１０、１１の下端部間に共通の排出口２を設けている。
【００２３】
ここで、２本の案内筒１０、１１の組合せの容易化を図るため、一方の案内筒１１の一方の側板１２ａの外側部に、他方の案内筒１０の一側部が嵌合可能な嵌合凹部１９を設けている。
【００２４】
また、内部が散薬供給路４とされた案内筒１０の一方の側板１２ａを散薬供給装置３０から供給される散薬の落下方向に対して斜交させてその内面を緩衝面１４とし、上記散薬をその緩衝面１４で一旦受け止めて排出口２に案内するようになっている。
【００２５】
図５（Ｉ）、（II）に示す薬剤供給シュートは、大きさおよび高さが異なる角形テーパ状の２本の案内筒１５、１６を下端の位置を上下にずらして相互に嵌合し、内側の案内筒１５の内側を散薬供給路４とし、その案内筒１５と外側の案内筒１６間を錠剤供給路５としている。また、外側案内筒１６の下端開口を排出口２とし、内側案内筒１５の一方の側板１７を散薬供給装置３０から供給される散薬の落下方向に対して斜交させてその内面を緩衝面１８とし、この緩衝面１８で上記散薬を一旦受け止めて排出口２に案内するようにしている。
【００２６】
各実施の形態で示すように、散薬の供給路と錠剤の供給路をそれぞれ独立させることにより、散薬の供給時に、その散薬が錠剤供給路の内面に付着するのを防止することができるため、散薬と錠剤の交互包装において、錠剤中に散薬が混入したり、あるいは錠剤の表面に散薬が付着して汚れるのを防止することができる。
【００２７】
【発明の効果】
以上のように、この発明においては、散薬供給装置から散薬供給路内に供給される散薬は緩衝面で一旦受け止められ、勢いが弱められた状態で排出口から包装シートの袋部内に供給されるため、袋部内で散薬が舞い上がるのを抑制することができる。このため、散薬の付着によって包装シートの両側縁部の熱溶着が不完全になるのを防止することができ、完全密封された分包袋を形成することができる。
【００２８】
また、散薬供給路と錠剤供給路とを独立させたことにより、錠剤のみの包装において、その錠剤表面に散薬が付着して汚れるのを防止することができる。
【図面の簡単な説明】
【図１】この発明に係る薬剤供給シュートの実施の形態を示す斜視図
【図２】図１に示す薬剤供給シュートの縦断正面図
【図３】図１に示す薬剤供給シュートに対する散薬の供給状態を示す縦断正面図
【図４】（Ｉ）はこの発明に係る薬剤供給シュートの他の例を示す分解斜視図、（II）は縦断正面図
【図５】（Ｉ）はこの発明に係る薬剤供給シュートのさらに他の例を示す斜視図、（II）は縦断正面図
【図６】従来の薬剤供給シュートを用いた薬剤分包機を概略的に示す正面図
【図７】図６に示す薬剤分包機の一部分を拡大して示す一部切欠正面図
【符号の説明】
１  案内筒
２  排出口
３  仕切板
４  散薬供給路
５  錠剤供給路
６  緩衝面
１０、１１  案内筒
１２ａ  側板
１３  切欠部
１４  緩衝面
１５、１６  案内筒
１７  側板
１８  緩衝面
【図１】
0004355053.tif 000002
【図２】
0004355053.tif 000003
【図３】
0004355053.tif 000004
【図４】
0004355053.tif 000005
【図５】
0004355053.tif 000006
【図６】
0004355053.tif 000007
【図７】
0004355053.tif 000008